(57)【要約】  【課題】  音楽データの再生音を高音質で出力でき尚かつ利便性に優れた携帯電話システムを提供する。  【解決手段】  記憶部４は、外部スピーカ用の再生設定値、内部スピーカ用の再生設定値、及び音楽データを記憶する。制御部５は、オーディオ出力端子１３とオーディオ入力端子１５との電気的接続が検出されると、前記音楽データを前記外部スピーカ用の再生設定値で再生して生成したオーディオ再生信号をスピーカ６に送出し、オーディオ出力端子１３とオーディオ入力端子１５との電気的接続が検出されないと、前記音楽データを前記内部スピーカ用の再生設定値で再生して生成したオーディオ再生信号をオーディオ出力端子１３に送出する。【選択図】      図１
2005341329.tif 000002
【特許請求の範囲】
【請求項１】
音楽データを再生する再生部と、
第１の再生設定値及び第２の再生設定値を記憶する記憶部と、
オーディオ出力端子と、
前記オーディオ出力端子と外部スピーカシステムのオーディオ入力端子とが電気的に接続されたか否かを検出する検出部と、
前記検出部によって前記オーディオ出力端子と前記オーディオ入力端子との電気的接続が検出されると、前記再生部が第１の再生設定値で再生を行い前記再生部の出力が前記オーディオ出力端子に送出されるように前記再生部を制御し、前記検出部によって前記オーディオ出力端子と前記オーディオ入力端子との電気的接続が検出されないと、前記再生部が第２の再生設定値で再生を行うように前記再生部を制御する再生制御部と、
を備えることを特徴とする携帯電話端末。
【請求項２】
第１の再生設定値を使用するか否かを設定する設定部を備え、
前記設定部により第１の設定値を使用しないと設定された場合は、前記再生制御部が、前記検出部によって前記オーディオ出力端子と前記オーディオ入力端子との電気的接続が検出されると、前記再生部が第１の再生設定値ではなく第２の再生設定値で再生を行い前記再生部の出力が前記オーディオ出力端子に送出されるように前記再生部を制御する請求項１に記載の携帯電話端末。
【請求項３】
請求項１または請求項２に記載の携帯電話端末と、前記携帯電話端末のオーディオ出力端子との電気的接続が可能なオーディオ入力端子及び前記オーディオ入力端子に入力される信号に基づく信号を音声に変換するスピーカを有する外部スピーカシステムとを備える携帯電話システムであって、
前記携帯電話端末が、前記携帯電話端末の電源となるバッテリを備え、
前記外部スピーカシステムが、前記バッテリを充電するための電力を前記携帯電話端末に供給する電源供給部を備えることを特徴とする携帯電話システム。
【請求項４】
請求項１または請求項２に記載の携帯電話端末と、前記携帯電話端末のオーディオ出力端子との電気的接続が可能なオーディオ入力端子及び前記オーディオ入力端子に入力される信号に基づく信号を音声に変換するスピーカを有する外部スピーカシステムとを備える携帯電話システムであって、
前記外部スピーカシステムが、前記オーディオ入力端子に入力される信号を増幅して前記スピーカに送出する増幅器を備えることを特徴とする携帯電話システム。
【発明の詳細な説明】
【技術分野】
【０００１】
本発明は、携帯電話端末から出力されるオーディオ再生信号を外部スピーカシステムによって音声に変換して出力する携帯電話システムに関する。
【背景技術】
【０００２】
近年、携帯電話端末は高機能化が進んでおり、内蔵メモリまたは装脱着可能な記憶媒体に格納されている音楽データを再生することができる携帯電話端末が実用化されている。しかしながら、携帯電話端末に内蔵されている小型スピーカによる音声出力では高音質の出力が得られないという問題があった。このような問題を解決する手段として、携帯電話端末がセットされると携帯電話端末内部のバッテリを充電する充電装置に音響特性が優れているスピーカを設け、その充電装置に携帯電話端末がセットされると携帯電話端末から出力されるオーディオ再生信号を充電装置に設けられたスピーカが音声に変換して出力するというシステムが提案されている（例えば、特許文献１、特許文献２、及び特許文献３参照）。
【特許文献１】特開２００２−１０１１７７号公報
【特許文献２】特開２００３−１０１６１８号公報
【特許文献３】特開２００３−２８３６０９号公報
【発明の開示】
【発明が解決しようとする課題】
【０００３】
ところが、携帯電話端末に内蔵されているスピーカと外部スピーカ（充電装置に設けられたスピーカ）とではスピーカの位置、性能、ユーザの使用環境等が異なるため、上述した従来技術では、携帯電話端末から出力されるオーディオ再生信号を充電装置に設けられたスピーカが音声に変換して出力する場合に、ユーザがキー操作によって音量などの設定を変更しなければならず、煩わしいという問題点があった。
【０００４】
本発明は、上記の問題点に鑑み、音楽データの再生音を高音質で出力でき尚かつ利便性に優れた携帯電話システムを提供することを目的とする。
【課題を解決するための手段】
【０００５】
上記目的を達成するために本発明に係る携帯電話端末は、音楽データを再生する再生部と、第１の再生設定値及び第２の再生設定値を記憶する記憶部と、オーディオ出力端子と、前記オーディオ出力端子と外部スピーカシステムのオーディオ入力端子とが電気的に接続されたか否かを検出する検出部と、前記検出部によって前記オーディオ出力端子と前記オーディオ入力端子との電気的接続が検出されると、前記再生部が第１の再生設定値で再生を行い前記再生部の出力が前記オーディオ出力端子に送出されるように前記再生部を制御し、前記検出部によって前記オーディオ出力端子と前記オーディオ入力端子との電気的接続が検出されないと、前記再生部が第２の再生設定値で再生を行うように前記再生部を制御する再生制御部と、を備える構成とする。
【０００６】
上記構成の携帯電話端末は、携帯電話端末のオーディオ出力端子と外部スピーカシステムのオーディオ入力端子との電気的接続の有無に応じて、再生設定値を自動的に切り替えることができるので、携帯電話端末のオーディオ出力端子と外部スピーカシステムのオーディオ入力端子との電気的接続の有無に応じて、ユーザがキー操作によって音量などの設定を変更する必要がなくなり、利便性が向上する。また、携帯電話端末のオーディオ出力端子から出力される信号を外部スピーカシステムによって音声に変換して出力することで、音楽データの再生音を高音質で出力することができる。したがって、上記構成の携帯電話端末のオーディオ出力端子との電気的接続が可能なオーディオ入力端子及び前記オーディオ入力端子に入力される信号に基づく信号を音声に変換するスピーカを有する外部スピーカシステムと上記構成の携帯電話端末とを組み合わせることによって、音楽データの再生音を高音質で出力でき尚かつ利便性に優れた携帯電話システムを実現することができる。
【０００７】
なお、第１の再生設定値は、単一のパラメータ（例えば、外部スピーカ用の全音域におけるボリューム値）に限らず、複数のパラメータ（例えば、外部スピーカ用の高音ボリューム値及び外部スピーカ用の低音ボリューム値）から成るものであってもよい。同様に、第２の再生設定値は、単一のパラメータ（例えば、内部スピーカ用の全音域におけるボリューム値）に限らず、複数のパラメータ（例えば、内部スピーカ用の高音ボリューム値及び内部スピーカ用の低音ボリューム値）から成るものであってもよい。
【０００８】
また、上記構成の携帯電話端末において、第１の再生設定値を使用するか否かを設定する設定部を備え、前記設定部により第１の設定値を使用しないと設定された場合は、前記再生制御部が、前記検出部によって前記オーディオ出力端子と前記オーディオ入力端子との電気的接続が検出されると、前記再生部が第１の再生設定値ではなく第２の再生設定値で再生を行い前記再生部の出力が前記オーディオ出力端子に送出されるように前記再生部を制御するようにしてもよい。これにより、再生動作設定の自由度が増す。
【０００９】
また、上記いずれかの構成の携帯電話端末と、前記携帯電話端末のオーディオ出力端子との電気的接続が可能なオーディオ入力端子及び前記オーディオ入力端子に入力される信号に基づく信号を音声に変換するスピーカを有する外部スピーカシステムとを備える携帯電話システムにおいて、前記携帯電話端末が、前記携帯電話端末の電源となるバッテリを備え、前記外部スピーカシステムが、前記バッテリを充電するための電力を前記携帯電話端末に供給する電源供給部を備えるようにしてもよい。
【００１０】
このような構成によると、音楽データの再生音を高音質で出力でき尚かつ利便性に優れた携帯電話システムを実現できるとともに、外部スピーカシステムを携帯電話端末の充電装置としても用いることができる。
【００１１】
また、上記いずれかの構成の携帯電話端末と、前記携帯電話端末のオーディオ出力端子との電気的接続が可能なオーディオ入力端子及び前記オーディオ入力端子に入力される信号に基づく信号を音声に変換するスピーカを有する外部スピーカシステムとを備える携帯電話システムにおいて、前記外部スピーカシステムが、前記オーディオ入力端子に入力される信号を増幅して前記スピーカに送出する増幅器を備えるようにしてもよい。
【００１２】
このような構成によると、外部スピーカシステムの音声出力を大出力にすることが容易になる。
【発明の効果】
【００１３】
本発明によると、音楽データの再生音を高音質で出力でき尚かつ利便性に優れた携帯電話システムを実現することができる。
【発明を実施するための最良の形態】
【００１４】
本発明の一実施形態について図面を参照して以下に説明する。本発明に係る携帯電話システムの概略構成例を図１に示す。図１に示す本発明に係る携帯電話システムは、携帯電話端末１００と外部スピーカシステム２００とから成る。
【００１５】
携帯電話端末１００は、アンテナ１と、無線部２と、テンキー、オンフックキー、オフフックキーなどの各種キーから成るキー入力部３と、各種設定及び音楽データを記憶する記憶部４と、携帯電話端末１００全体を制御する制御部５と、受信レベルやダイヤル番号等を表示する表示部６と、マイクロフォン７と、着信音、音楽データの再生音、受話音声などを出力するスピーカ８と、イヤホン（図示せず）のプラグとの接続が可能であるイヤホンジャック９と、バッテリ１０と、外部から供給される充電電圧を入力する充電端子１１ａ及び１１ｂと、充電端子１１ａ及び１１ｂが入力した充電電圧を所定値の電圧に変換してバッテリ１０に供給する機能並びにバッテリ１０から放電される電圧を安定化して携帯電話端末１００の各部に供給する機能を有する充電・電源制御部１２と、オーディオ再生信号を外部に出力するオーディオ出力端子１３とを備えている。なお、携帯電話端末１００をメモリカード等の記憶媒体が装脱着可能な構成とし、音楽データを前記記憶媒体に格納するようにしてもよい。
【００１６】
携帯電話端末１００では、音声通話時において、ユーザから発せられた音声がマイクロフォン７によって電気信号に変換され、その電気信号が制御部５によって無線部２に送られ、無線部２によって変調され、アンテナ１から無線電波として送信されるとともに、基地局から携帯電話端末１００に向けて送信された無線電波がアンテナ１によって受信され、無線部２によって復調され、その復調された信号が制御部５によってスピーカ８またはイヤホンジャック９に送られる。また、携帯電話端末１００では、音楽データの再生時において、制御部５が、記憶部４に記憶されている音楽データを読み出し、その音楽データを後述する再生設定値で再生してオーディオ再生信号を生成し、携帯電話端末１００と外部スピーカシステム２００との電気接続を検出している場合はオーディオ出力端子１３に前記オーディオ再生信号を出力し、携帯電話端末１００と外部スピーカシステム２００との電気的接続を検出していない場合はスピーカ８またはイヤホンジャック９に前記オーディオ再生データを出力する。なお、携帯電話端末１００と外部スピーカシステム２００との電気的接続を検出する方法としては、例えば、制御部５がオーディオ出力端子１３の終端インピーダンスを検出しその検出したインピーダンスに基づいて携帯電話端末１００と外部スピーカシステム２００との電気的接続を検出する検出方法が挙げられる。
【００１７】
外部スピーカシステム２００は、充電端子１４ａ及び１４ｂと、オーディオ入力端子１５と、電源供給部１６と、アンプ１７と、スピーカ１８とを備えている。充電端子１４ａ及び１４ｂは、携帯電話端末１００と外部スピーカシステム２００とが電気的に接続されたときにそれぞれ充電端子１１ａ及び１１ｂに電気的に接続される。また、オーディオ入力端子１５は、携帯電話端末１００と外部スピーカシステム２００とが電気的に接続されたときにオーディオ出力端子１３に電気的に接続される。電源供給部１６は、直流電圧ＶDCを外部から入力し、直流電圧ＶDCを所定の直流電圧に変換して充電端子１４ａ、１４ｂ間とアンプ１７とに出力する。なお、電源供給部１６の代わりに、交流電圧を外部から入力し、入力した交流電圧を所定の直流電圧に変換して充電端子１４ａ、１４ｂ間とアンプ１７とに出力する電源供給部を用いても構わない。オーディオ入力端子１５に入力されたオーディオ再生信号は、アンプ１７によって増幅された後、スピーカ１８によって音声に変換されて出力される。なお、外部スピーカシステム２００の音声出力を大出力にする必要がない場合には、外部スピーカシステム２００内にアンプ１７を設けず、オーディオ入力端子１５に入力されたオーディオ再生信号が直接スピーカ１８に供給される構成にしてもよい。
【００１８】
次に、携帯電話端末１００における再生設定値の設定動作について図２に示すフローチャートを参照して説明する。ユーザが表示部６の表示を参照しながらキー入力部３を操作して、再生設定値の設定項目を選択すると、携帯電話端末１００は図２に示すフローチャートの動作を開始する。
【００１９】
先ず、制御部５は、キー入力部３の出力信号に基づいて、外部スピーカ用の再生設定値を設定する項目が選択されているか否かを判定する（ステップＳ１０）。ユーザが表示部６の表示を参照しながらキー入力部３を操作して、外部スピーカ用の再生設定値を設定する項目を選択した場合、制御部５は、キー入力部３の出力信号に基づいて、外部スピーカ用の再生設定値を設定する項目が選択されていると判定し（ステップＳ１０のＹｅｓ）、後述するステップＳ２０に移行する。一方、ユーザが表示部６の表示を参照しながらキー入力部３を操作して、内部スピーカ用の再生設定値を設定する項目を選択した場合、制御部５は、キー入力部３の出力信号に基づいて、外部スピーカ用の再生設定値を設定する項目が選択されていないと判定し（ステップＳ１０のＮｏ）、後述するステップＳ４０に移行する。
【００２０】
ステップＳ２０において、制御部５は、表示部６に外部スピーカ用の高音ボリューム値の入力を促す表示をさせ、ユーザがキー入力部３を操作することによってキー入力部３が外部スピーカ用の高音ボリューム値を入力すると、キー入力部３の出力信号に基づいて外部スピーカ用の高音ボリューム値をキー入力部３が入力した値に設定し、その設定に関する情報を記憶部４に記憶させる。続くステップＳ３０において、制御部５は、表示部６に外部スピーカ用の低音ボリューム値の入力を促す表示をさせ、ユーザがキー入力部３を操作することによってキー入力部３が外部スピーカ用の低音ボリューム値を入力すると、キー入力部３の出力信号に基づいて外部スピーカ用の低音ボリューム値をキー入力部３が入力した値に設定し、その設定に関する情報を記憶部４に記憶させる。そして、ステップＳ３０の処理が終わると、再生設定値の設定動作が終了する。
【００２１】
また、ステップＳ４０において、制御部５は、表示部６に内部スピーカ用の高音ボリューム値の入力を促す表示をさせ、ユーザがキー入力部３を操作することによってキー入力部３が内部スピーカ用の高音ボリューム値を入力すると、キー入力部３の出力信号に基づいて内部スピーカ用の高音ボリューム値をキー入力部３が入力した値に設定し、その設定に関する情報を記憶部４に記憶させる。続くステップＳ５０において、制御部５は、表示部６に内部スピーカ用の低音ボリューム値の入力を促す表示をさせ、ユーザがキー入力部３を操作することによってキー入力部３が内部スピーカ用の低音ボリューム値を入力すると、キー入力部３の出力信号に基づいて内部スピーカ用の低音ボリューム値をキー入力部３が入力した値に設定し、その設定に関する情報を記憶部４に記憶させる。そして、ステップＳ５０の処理が終わると、再生設定値の設定動作が終了する。
【００２２】
なお、上述した再生設定値の設定動作が一度も行われていない場合は、再生設定値（外部スピーカ用の高音ボリューム値、外部スピーカ用の低音ボリューム値、内部スピーカ用の高音ボリューム値、及び内部スピーカ用の低音ボリューム値）は、工場出荷時に予め記憶部４に記憶されているデフォルト値となる。
【００２３】
次に、携帯電話端末１００における再生モードの自動切り替え動作について図３のフローチャートを参照して説明する。ユーザがキー入力部３を操作して携帯電話端末１００の電源がオンになると、携帯電話端末１００は図３に示すフローチャートの動作を開始する。
【００２４】
先ず、制御部５は、携帯電話端末１００と外部スピーカシステム２００との電気的接続を検出しているか否かを判定する（ステップＳ６０）。携帯電話端末１００と外部スピーカシステム２００との電気的接続を検出していれば（ステップＳ６０のＹｅｓ）、後述するステップＳ７０に移行する。一方、携帯電話端末１００と外部スピーカシステム２００との電気的接続を検出していなければ（ステップＳ６０のＮｏ）、後述するステップＳ９０に移行する。
【００２５】
ステップＳ７０では、制御部５は、記憶部４から読みとった情報に基づいて、外部スピーカ用の再生設定値を使用するモードに設定されているか否かを判定する。なお、ユーザは、表示部６の表示を参照しながらキー入力部３を操作して、外部スピーカ用の再生設定値を使用するモードまたは外部スピーカ用の再生設定値を使用しないモードのいずれかに設定することができ、その設定に関する情報が記憶部４に記録されている。また、かかる設定がユーザによって一度も行われていない場合は、工場出荷時に予め記憶部４に記憶されているデフォルト設定（例えば、外部スピーカ用の再生設定値を使用するモード）となる。
【００２６】
外部スピーカ用の再生設定値を使用するモードに設定されていれば（ステップＳ７０のＹｅｓ）、後述するステップＳ８０に移行する。一方、外部スピーカ用の再生設定値を使用するモードに設定されていなければ（ステップＳ７０のＮｏ）、後述するステップＳ９０に移行する。
【００２７】
ステップＳ８０では、制御部５が音楽データを外部スピーカ用の再生設定値で再生してオーディオ再生信号を生成し、そのオーディオ再生信号をオーディオ出力端子１３に出力するモードにする。そして、ステップＳ８０の処理が終了すると、ステップＳ６０に戻る。
【００２８】
ステップＳ９０では、制御部５が音楽データを内部スピーカ用の再生設定値で再生してオーディオ再生信号を生成し、そのオーディオ再生信号をスピーカ８、イヤホンジャック９、又はオーディオ出力端子１３に出力するモードにする。そして、ステップＳ９０の処理が終了すると、ステップＳ６０に戻る。
【００２９】
上述した再生モードの自動切り替え動作を行うことにより、携帯電話端末１００と外部スピーカシステム２００との電気的接続の有無に応じて、オーディオ再生信号の信号レベルを自動的に切り替えることが可能になるので、携帯電話端末１００と外部スピーカシステム２００との電気的接続の有無に応じてユーザがキー操作によって音量設定を変更する必要がなくなり、利便性が向上する。また、携帯電話端末１００から出力されるオーディオ再生信号を外部スピーカシステム２００によって音声に変換して出力することで、音楽データの再生音を高音質で出力することができる。
【００３０】
なお、上述した実施形態では、再生設定値として高音ボリューム値と低音ボリューム値とを個別に設けたが、再生設定値を全音域におけるボリューム値にしてもよい。また、外部スピーカが複数あってステレオ再生やサラウンド再生が可能な場合は、外部スピーカ用の再生設定値を外部スピーカ間のボリュームバランス値にしてもよく、さらに、高音ボリューム値及び低音ボリューム値とボリュームバランス値とを組み合わせてもよく、全音域におけるボリューム値とボリュームバランス値とを組み合わせてもよい。
【００３１】
また、上述した実施形態では、図３のフローチャートにおいて、外部スピーカ用の再生設定値を使用するモードに設定されているか否かを判定するステップＳ３０を設けたが、ステップＳ３０は設けなくても構わない。ステップＳ３０を設けない場合、携帯電話端末１００と外部スピーカシステム２００との電気的接続が検出されれば、必ず外部スピーカ用の再生設定値で再生を行うモードになる。
【図面の簡単な説明】
【００３２】
【図１】は、本発明に係る携帯電話システムの概略構成例を示す図である。
【図２】は、本発明に係る携帯電話端末における再生設定値の設定動作を示すフローチャートである。
【図３】は、本発明に係る携帯電話端末における再生モードの自動切り替え動作を示すフローチャートである。
【符号の説明】
【００３３】
３    キー入力部
４    記憶部
５    制御部
８    スピーカ
１０    バッテリ
１１ａ、１１ｂ    充電端子
１２    充電・電源制御部
１３    オーディオ出力端子
１４ａ、１４ｂ    充電端子
１５    オーディオ入力端子
１６    電源供給部
１７    アンプ
１８    スピーカ
１００    携帯電話端末
２００    外部スピーカシステム
【図１】
2005341329.tif 000003
【図２】
2005341329.tif 000004
【図３】
2005341329.tif 000005